(57)【要約】【課題】表示倍率変化を行っても解像度の低下がなく、また、観たい周囲の状況まで観ることが可能な表示システムを提供する。【解決手段】カメラ装置２は、操作部、光学ズーム機能を持つ光学撮影部、カメラ制御部を備える。カメラ制御部は、所望の光学ズーム倍率の代表画像と、所望の光学ズーム倍率と異なる倍率の少なくとも１枚の変倍画像とを含む複数枚の画像が連続撮影により取得する。表示倍率制御部５は、外部からの指示に基づいて、表示装置６の一定の画面領域６１に対し映像内容の表示倍率を変更するための制御を行う。表示倍率制御部５は、指示がないときは、代表画像を選択して画面領域６１に表示させ、指示があったときは、当該指示に対応する一の変倍画像を選択して画面領域６１に表示している代表画像と置き換える制御を行う。【選択図】図１
2008153876.tif 000002
【特許請求の範囲】
【請求項１】
カメラ装置と、
表示装置と、
前記表示装置に内蔵され、あるいは、前記表示装置に接続される他の電気機器内に設けられ、外部からの指示に基づいて、前記表示装置が持つ一定の大きさを有する画面領域に対し映像内容の表示倍率を変更するための制御を行う表示倍率制御部と、
を有し、
前記カメラ装置は、
シャッタ操作およびズーム操作が可能な操作部と、
前記ズーム操作により撮影倍率を大きくすることが可能な光学ズーム機能を持つ光学撮影部と、
前記シャッタ操作に基づいて前記光学撮影部を制御し、前記ズーム操作により決められた所望の光学ズーム倍率の代表画像と、前記所望の光学ズーム倍率と異なる倍率の少なくとも１枚の変倍画像とを含む複数枚の画像を連続撮影により取得するカメラ制御部と、
を備え、
前記表示倍率制御部は、前記指示がないときは、前記カメラ装置から送られる前記複数枚の画像から前記代表画像を選択して前記表示装置の前記画面領域に表示させ、前記指示があったときは、当該指示に対応する一の前記変倍画像を前記複数枚の画像から選択して前記画面領域に表示している前記代表画像と置き換える制御を行う
画像表示システム。
【請求項２】
前記カメラ装置は、
一次メモリ部と、
二次メモリ部と、
をさらに有し、
前記カメラ制御部は、シャッタの半操作に応答して前記複数枚の画像を取得する連続撮影の実行を制御し、得られた複数の画像データを前記一次メモリ部に格納し、続いてシャッタのフル操作を検出したときは、前記得られた複数の画像データを前記一次メモリ部から読み出して、前記二次メモリ部に記録する制御を行う
請求項１に記載の画像表示システム。
【請求項３】
前記カメラ制御部は、前記シャッタの半操作を検出してから所定時間が経過しても前記フル操作がなされないときは、前記一次メモリ部内の前記複数枚の画像データを廃棄する
請求項２に記載の画像表示システム。
【請求項４】
前記カメラ制御部は、前記複数枚の画像のデータ群を、前記変倍画像を含むことを示す識別子が添付された一のファイルデータに変換し、前記表示倍率制御部に送る制御を実行し、
前記表示倍率制御部が設けられている前記表示装置または前記電気機器は、前記カメラ装置以外から画像データを入力可能で、前記画像領域に対する映像のズーム表示の倍率変更をディジタル処理により行う映像処理部を有し、
前記表示倍率制御部は、入力された画像データに対し前記識別子の有無検出を試み、前記識別子が検出された場合は前記カメラ装置からの前記ファイルデータであるとして、前記画像領域に対する映像内容の表示倍率変更を、前記代表画像と前記変倍画像との切り替えにより実行し、前記識別子が検出されない場合は前記映像処理部を制御して、ディジタル処理によるズーム倍率変更を行う
請求項１に記載の映像表示システム。
【請求項５】
前記カメラ装置は、同一被写体に対する撮影中心が異なるように配置されて同時撮影が可能な複数の前記光学撮影部を有する
請求項１に記載の画像表示システム。
【請求項６】
前記カメラ装置は、前記複数の光学撮影部の各々に対応する複数の前記撮影中心の位置が表示可能な撮影画像モニタ部を有する
請求項５に記載の画像表示システム。
【請求項７】
前記カメラ制御部は、前記複数の光学撮像部の同時撮影により取得される複数の画像データ群を、前記複数枚の画像全体の座標における、各画像の撮像中心の位置情報が添付された一のファイルデータに変換し、前記表示倍率制御部に送る制御を実行し、
前記表示倍率制御部は、送られてきた前記ファイルデータ内の各画像を前記表示装置の前記画像領域に表示する際に、前記複数の光学撮像部の各撮像中心位置を表す複数のマークを、各画像に重ねて表示する制御を行う
請求項５に記載の画像表示システム。
【請求項８】
前記複数のマークはユーザ操作により選択可能であり、
前記表示倍率制御部は、前記複数のマークから一のマークが選択されたときは、選択されたマークに対応する一の前記光学撮影部で取得された一の画像データ群を前記複数の画像データ群から選択して、前記表示装置での画像表示に用いる
請求項７に記載の画像表示システム。
【請求項９】
前記表示倍率制御部が設けられている前記表示部または前記電気機器は、ユーザ操作によるカーソル位置によって前記画像領域に対する映像内容の表示倍率変更を行う画面中心位置を任意に指定可能で、当該指定された画面中心位置を中心として、前記画像領域に対する映像のズーム表示倍率変更をディジタル処理により行う映像処理部を有し、
前記表示倍率制御部は、前記マーク以外の画面内位置が前記カーソルにより指定されたときは、前記映像処理部を制御して、前記ディジタル処理によるズーム表示を実行し、前記マークが前記カーソルにより指定されたときは、選択されたマークに対応する前記画像データ群を選択して、前記代表画像と前記変倍画像との切り替えによる前記映像内容の表示倍率変更の制御を行う
請求項８に記載の画像表示システム。
【請求項１０】
シャッタ操作およびズーム操作が可能な操作部と、
前記ズーム操作により撮影倍率を大きくすることが可能な光学ズーム機能を持つ光学撮影部と、
前記シャッタ操作に基づいて前記光学撮影部を制御し、前記ズーム操作により決められた所望の光学ズーム倍率の代表画像と、前記所望の光学ズーム倍率と異なる倍率の少なくとも１枚の変倍画像とを含む複数枚の画像を連続撮影により取得し、前記複数枚の画像のデータ群を、前記変倍画像を含むことを示す識別子が添付された一のファイルデータに変換するカメラ制御部と、
を有するカメラ装置。
【請求項１１】
前記カメラ装置は、同一被写体に対する撮影中心が異なるように配置されて同時撮影が可能な複数の前記光学撮影部を有する
請求項１０に記載のカメラ装置。
【請求項１２】
内蔵または外付けの表示部における一定の大きさを有する画面領域に対する映像内容の表示倍率を変更可能な表示処理装置であって、
同一被写体に対して所望の光学ズーム倍率で取得された代表画像と光学ズーム倍率が異なる少なくとも１枚の変倍画像とが連続撮影されて得られた複数枚画像のデータ群に前記変倍画像を含むことを示す識別子を添付して作成されたファイルデータと、前記識別子を含まない画像データとを入力可能な画像入力部と、
前記画像領域に対し、入力画像のズーム倍率変更をディジタル処理により行うことが可能な映像処理部と、
前記画像入力部に入力された画像データに対し前記識別子の有無検出を試み、前記識別子が検出された場合は前記ファイルデータであるとして、前記画像領域に対する映像内容の倍率変更を、前記代表画像と前記変倍画像との切り替えにより実行し、前記識別子が検出されない場合は前記映像処理部を制御して、ディジタル処理によるズーム倍率変更を行う表示倍率制御部と、
を有する表示処理装置。
【請求項１３】
一定の大きさを有する画面領域に対する映像内容の表示倍率を、外部からの指示に基づいて変更する映像内容の表示倍率変更方法であって、
同一被写体に対し所望の光学ズーム倍率で取得される代表画像に加え、前記所望の光学ズーム倍率から当該倍率を変えて取得された少なくとも１枚の変倍画像を含む複数の画像を連続撮影する撮影ステップと、
前記指示がないときは、前記複数枚の画像から前記代表画像を選択して前記画面領域に表示させ、前記指示があったときは、当該指示に対応する一の前記変倍画像を前記複数枚の画像から選択して前記画面領域に表示している前記代表画像と置き換える表示制御ステップと、
を含む表示倍率変更方法。
【請求項１４】
一定の大きさを有する画面領域に対する映像内容の表示倍率を、外部からの指示に基づいて変更する映像内容の表示倍率変更方法であって、
同一被写体に対して所望の光学ズーム倍率で取得された代表画像と光学ズーム倍率が異なる少なくとも１枚の変倍画像とが連続撮影されて得られた複数枚画像のデータ群に前記変倍画像を含むことを示す識別子を添付して作成されたファイルデータと、前記識別子を含まない画像データとを入力可能な画像入力のステップと、
入力された画像データに対し前記識別子の有無検出を試み、前記識別子が検出された場合は前記ファイルデータであるとして、前記画像領域に対する映像内容の倍率変更を、前記代表画像と前記変倍画像との切り替えにより実行し、前記識別子が検出されない場合は、前記画像領域に対し、入力画像のズーム倍率変更をディジタル処理により行うズーム倍率変更を実行する表示制御のステップと、
を含む表示倍率変更方法。
【発明の詳細な説明】
【技術分野】
【０００１】
本発明は、一定の大きさを有する画面領域に対する映像内容の表示倍率を外部からの指示に基づいて変更可能な画像表示システムと、当該画像表示システムに用いることが可能なカメラ装置および表示処理装置と、表示倍率変更方法とに関する。
【背景技術】
【０００２】
近年の画像表示システムは、映像内容（映像コンテンツ）を見て楽しむという従来からある機能以外に、文字等の情報の付加、複数の映像の同時表示など様々な機能を持つ。かかる機能は、ディジタル画像表示システムの進展と、表示画面が大型化、高精細化したことにより以前にも増して多様化している。
ディジタル表示機能の多様化の一つに、表示画面の一部または全部の固定の画面領域内で、映像内容を拡大して表示するズーム表示機能が知られている（例えば特許文献１参照）。
【０００３】
特許文献１に、リモートコントローラのカーソル操作により、表示画面の所定の等分割領域を単位として、その単位内に表示されている映像内容を、全画面に２倍、３倍にズームアップすることが可能なビデオ表示装置（たとえばＤＶＤプレーヤーなどのビデオ機器）が開示されている。
この開示されている機能はテレビジョン受像機にも適用され、ズーム表示機能として知られている。
【０００４】
一方、ビデオ機器やテレビジョン受像機（あるいはビデオモニタ）が持つ上記ズーム表示機能は、ＤＶＤ等のソフトウエアや放送番組を鑑賞しているとき以外に、他の用い方もできる。具体的には、これらの機器は、外部入力端子に接続されたコード、あるいは、専用スロットに挿入されたカード型メモリ等の記録メディアから入力され、外部機器（例えばディジタルカメラ）で取得されたディジタル画像データを動画または静止画として表示することが可能である。そして、外部機器又は記録メディアからの画像を表示する際、上記ズーム表示機能を用いると、多様な映像の楽しみ方ができて便利である。
【特許文献１】特開平１１−２６６４３７号公報
【発明の開示】
【発明が解決しようとする課題】
【０００５】
上記引用文献１に開示されているビデオ表示装置やテレビジョン受像機のズーム表示機能は、ある一定の画面領域の大きさはそのままで、その領域内の表示倍率をユーザ操作により変更するものである。この機能を用いると、たとえば多数のミュージシャンが参加しているコンサートの番組で、お気に入りのミュージシャンのみ拡大して見ることが可能である。また、放映映像（動画）内におけるＯＳＤ画面を、ＯＳＤ画面の大きさはそのままで、ＯＳＤ画面に映される細かな映像内容を拡大して観ることもできる。なお、ＯＳＤ画面を全画面表示に切り替えることは、表示画面サイズの拡大であり、ここで言う「映像内容のズーム表示機能」とは異なる。
【０００６】
ところが、上記ズーム表示機能は、単に映像内容を拡大しただけでは観づらい、あるいは、観たい情報が得られないという不都合がある。
その原因の一つは、ズーム表示機能がディジタル処理によるディジタルズームであるために、表示画像の解像度が低下することである。補間処理等による解像度の向上技術も知られているが、この場合、処理負担が大きく、また、補間による解像度向上にも限界がある。
一般に、ズームアップしたい画像が動画の場合、解像度低下があっても視聴者にとっては余り気にならない。これに対し静止画の場合は、ズームアップすると、解像度の低下によって画面が非常に観づらくなる。さらに、番組や市販のソフトウエアで、あるズームさせたい場面（静止画）が映し出される最初の状態では、当該場面の映像内容全体が見える状態にしておき、そこからズームアップすることしかできないため、最初に映し出されている映像内容を越えた、その周囲の状況まで観ることはできない。
【０００７】
しかし、前述したように一般ユーザが任意に入力する映像ソースで上記ズーム表示機能が利用されることに鑑みれば、ズームアップの機能のみでは不十分である。つまり、ユーザが撮影した画像は、例えば「もっとアップがほしかった」「顔の一部が画面から外れている」といった不満が残る場合があり、ズームアップ時の画質さえ良ければ満足できるというものではない。
さらに、番組や市販のソフトウエアについては、通信環境の改善やメディアの容量増大が急速に進展している現在の状況を考慮するならば、最初に映し出される映像内容のみならず、通常は不要と考えられるが、さらに周囲の状況まで興味がある視聴者の多様な要求に答えるために、周囲の状況がわかる映像を含めて予め配信または市場提供することが望ましい。
【課題を解決するための手段】
【０００８】
本発明に係る画像表示システムは、カメラ装置と、表示装置と、前記表示装置に内蔵され、あるいは、前記表示装置に接続される他の電気機器内に設けられる表示倍率制御部とを有する。
前記カメラ装置は、シャッタ操作およびズーム操作が可能な操作部と、前記ズーム操作により撮影倍率を大きくすることが可能な光学ズーム機能を持つ光学撮影部と、前記シャッタ操作に基づいて前記光学撮影部を制御するカメラ制御部とを備える。この制御により、前記ズーム操作により決められた所望の光学ズーム倍率の代表画像と、前記所望の光学ズーム倍率と異なる倍率の少なくとも１枚の変倍画像とを含む複数枚の画像が連続撮影により取得される。
前記表示倍率制御部は、外部からの指示に基づいて、前記表示装置が持つ一定の大きさを有する画面領域に対し映像内容の表示倍率を変更するための制御を行う。具体的に、前記表示倍率制御部は、前記指示がないときは、前記カメラ装置から送られる前記複数枚の画像から前記代表画像を選択して前記表示装置の前記画面領域に表示させる制御を行う。一方、前記指示があったときは、前記表示倍率制御部は、当該指示に対応する一の前記変倍画像を前記複数枚の画像から選択して前記画面領域に表示している前記代表画像と置き換える制御を行う。
【０００９】
本発明に係るカメラ装置は、シャッタ操作およびズーム操作が可能な操作部と、前記ズーム操作により撮影倍率を大きくすることが可能な光学ズーム機能を持つ光学撮影部と、カメラ制御部とを有する。当該カメラ制御部は、前記シャッタ操作に基づいて前記光学撮影部を制御し、前記ズーム操作により決められた所望の光学ズーム倍率の代表画像と、前記所望の光学ズーム倍率と異なる倍率の少なくとも１枚の変倍画像とを含む複数枚の画像を連続撮影により取得し、前記複数枚の画像のデータ群を、前記変倍画像を含むことを示す識別子が添付された一のファイルデータに変換する。
【００１０】
本発明の一態様では、好適に、前記カメラ装置は、一次メモリ部と、二次メモリ部とをさらに有する。そして、前記カメラ制御部は、シャッタの半操作に応答して前記複数枚の画像を取得する連続撮影の実行を制御し、得られた複数の画像データを前記一次メモリ部に格納し、続いてシャッタのフル操作を検出したときは、前記得られた複数の画像データを前記一次メモリ部から読み出して、前記二次メモリ部に記録する制御を行う。
【００１１】
本発明の他の態様では、好適に、同一被写体に対する撮影中心が異なるように配置されて同時撮影が可能な複数の前記光学撮影部を有する。
この場合、さらに好適に、前記カメラ装置は、前記複数の光学撮影部の各々に対応する複数の前記撮影中心の位置が表示可能な撮影画像モニタ部を有する。
また、好適に、前記カメラ制御部は、前記複数の光学撮像部の同時撮影により取得される複数の画像データ群を、前記複数枚の画像全体の座標における、各画像の撮像中心の位置情報が添付された一のファイルデータに変換し、前記表示倍率制御部に送る制御を実行する。そして、前記表示倍率制御部は、送られてきた前記ファイルデータ内の各画像を前記表示装置の前記画像領域に表示する際に、前記複数の光学撮像部の各撮像中心位置を表す複数のマークを、各画像に重ねて表示する制御を行う。
この場合、好適に、前記複数のマークはユーザ操作により選択可能である。そして、前記表示倍率制御部は、前記複数のマークから一のマークが選択されたときは、選択されたマークに対応する一の前記光学撮影部で取得された一の画像データ群を前記複数の画像データ群から選択して、前記表示装置での画像表示に用いる。
さらに好適に、前記表示倍率制御部が設けられている前記表示部または前記電気機器は、ユーザ操作によるカーソル位置によって前記画像領域に対する映像内容の表示倍率変更を行う画面中心位置を任意に指定可能で、当該指定された画面中心位置を中心として、前記画像領域に対する映像のズーム表示倍率変更をディジタル処理により行う映像処理部を有する。そして、前記表示倍率制御部は、前記マーク以外の画面内位置が前記カーソルにより指定されたときは、前記映像処理部を制御して、前記ディジタル処理によるズーム表示を実行し、前記マークが前記カーソルにより指定されたときは、選択されたマークに対応する前記画像データ群を選択して、前記代表画像と前記変倍画像との切り替えによる前記映像内容の表示倍率変更の制御を行う。
【００１２】
本発明に係る表示処理装置は、内蔵または外付けの表示部における一定の大きさを有する画面領域に対する映像内容の表示倍率を変更可能である。そして、当該表示処理装置は、画像入力部、映像処理部および表示倍率制御部を有する。
前記画像入力部は、同一被写体に対して所望の光学ズーム倍率で取得された代表画像と光学ズーム倍率が異なる少なくとも１枚の変倍画像とが連続撮影されて得られた複数枚画像のデータ群に前記変倍画像を含むことを示す識別子を添付して作成されたファイルデータと、前記識別子を含まない画像データとを入力可能である。
前記映像処理部は、前記画像領域に対し、入力画像のズーム倍率変更をディジタル処理により行うことが可能である。
前記表示倍率制御部は、前記画像入力部に入力された画像データに対し前記識別子の有無検出を試み、前記識別子が検出された場合は前記ファイルデータであるとして、前記画像領域に対する映像内容の倍率変更を、前記代表画像と前記変倍画像との切り替えにより実行し、前記識別子が検出されない場合は前記映像処理部を制御して、ディジタル処理によるズーム倍率変更を行う。
【００１３】
本発明に係る表示倍率変更方法は、一定の大きさを有する画面領域に対する映像内容の表示倍率を、外部からの指示に基づいて変更する映像内容の表示倍率変更方法であって、同一被写体に対し所望の光学ズーム倍率で取得される代表画像に加え、前記所望の光学ズーム倍率から当該倍率を変えて取得された少なくとも１枚の変倍画像を含む複数の画像を連続撮影する撮影ステップと、前記指示がないときは、前記複数枚の画像から前記代表画像を選択して前記画面領域に表示させ、前記指示があったときは、当該指示に対応する一の前記変倍画像を前記複数枚の画像から選択して前記画面領域に表示している前記代表画像と置き換える表示制御ステップと、を含む。
【００１４】
本発明に係る他の表示倍率変更方法は、一定の大きさを有する画面領域に対する映像内容の表示倍率を、外部からの指示に基づいて変更する映像内容の表示倍率変更方法であって、同一被写体に対して所望の光学ズーム倍率で取得された代表画像と光学ズーム倍率が異なる少なくとも１枚の変倍画像とが連続撮影されて得られた複数枚画像のデータ群に前記変倍画像を含むことを示す識別子を添付して作成されたファイルデータと、前記識別子を含まない画像データとを入力可能な画像入力のステップと、入力された画像データに対し前記識別子の有無検出を試み、前記識別子が検出された場合は前記ファイルデータであるとして、前記画像領域に対する映像内容の倍率変更を、前記代表画像と前記変倍画像との切り替えにより実行し、前記識別子が検出されない場合は、前記画像領域に対し、入力画像のズーム倍率変更をディジタル処理により行うズーム倍率変更を実行する表示制御のステップと、を含む。
【００１５】
以上の構成によれば、例えばカメラ装置の操作者が所望の光学ズーム倍率で撮影し一の画像を取得すると、取得した所望の画像（代表画像）と異なる（大きいまたは小さい）光学ズーム倍率の変倍（拡大または縮小）画像が自動で取得される。これにより、ズーム表示時の拡大画面を変倍画面で置き換えて表示することが可能であるため解像度が低下しない。また、代表画像がズームの途中で撮像された場合は、よりズーム倍率が小さい変倍（縮小）画像が取得でき、その場合、所望の代表画像に映された被写体の周囲の情報まで表示する制御が可能である。
【発明の効果】
【００１６】
本発明によれば、表示倍率変化を行っても解像度の低下がなく、また、観たい周囲の状況まで観ることが可能で鑑賞者の満足度が高い画像表示システム、そのためのカメラ装置と表示処理装置、ならびに、表示倍率変更方法を提供することができる。
【発明を実施するための最良の形態】
【００１７】
本実施形態に関わる画像表示システムは、カメラ装置と、表示装置と、表示倍率制御部を含む。表示倍率制御部は、例えばテレビジョン受像機や映像モニタ等の表示装置に内蔵される形態と、当該表示装置には内蔵されずに、表示装置に接続され当該表示装置の映像表示を制御可能な電気機器、例えばデータストレージ装置や（記録）再生装置等に内蔵される形態とがある。また、カメラ装置は、一般ユーザが使用するコンシューマ用途のみならず、番組や市販ソフトウエア等のために映像内容を作成する側で用いることが可能なカメラ装置のいずれでもよい。
【００１８】
《第１実施形態》
第１実施形態は、外付けされた表示装置に対して表示制御が可能なデータストレージ装置内に表示倍率制御部が内蔵されている場合に関する。以下、本実施形態を、図面を参照して説明する。
【００１９】
図１に、第１実施形態に関わる画像表示システムの構成を示す。
図解する画像表示システム１は、例えばディジタルスチルカメラ等のカメラ装置２と、カメラ装置２で撮影された画像データが記録されて外部機器に持ち出し可能なカード型メモリ（ＭＣ）３と、カード型メモリ３内の画像データを読み取り可能なデータストレージ装置４と、データストレージ装置４に接続され、データストレージ装置４からの表示制御を受けることが可能な表示装置６とを有する。
図解する画像表示システム１は、カメラ装置２で撮った画像のデータを、例えばＵＳＢケーブルまたはカード型メモリ３を介して、データストレージ装置４内のハードディスクに記録可能である。また、データストレージ装置４内のハードディスクに記録された画像は、ＨＤＭＩケーブルを経由して表示装置６に送られる。データストレージ装置４は、表示装置６の所定の画像領域（例えば有効画面領域）６１に映し出す映像内容の表示倍率を変更するときの制御を行う表示倍率制御部５を含む。表示倍率制御部５の詳細については後述する。
【００２０】
図２にカメラ装置２のブロック図、図３にデータストレージ装置４のブロック図、図５に表示装置６のブロック図を示す。
図２に図解するカメラ装置２は、大別すると、光学撮影部２Ａ、信号処理部２Ｂ、カメラ制御部２Ｃ、操作部２Ｄ、メモリ部２Ｅ、および、映像および音声の入出力部を備える。これら各部の全ての構成は、内部バス２Ｆに接続されて、互いに信号のやり取りが可能になっている。
【００２１】
光学撮影部２Ａは、被写体からの光を入力し複数のレンズの位置制御により入射光範囲（被写体の撮影範囲）を変えるズーム機能を有するズームレンズ(Zoom Lens)２１と、ズームレンズ２１で絞られた撮影光を撮像面で受光し光電変換して撮像信号（画像データ）を出力する撮像素子（例えばＣＣＤまたはＣＭＯＳセンサ）２２とを含む。
【００２２】
操作部２Ｄは、ズームアップ時のワイド（Ｗ）とズームダウン時のテレ（Ｔ）とのボタンが形成されているズーム操作部３６、および、例えばボタン型のシャッタ操作部３７を含む。
メモリ部２Ｅは、一次メモリとしての内蔵メモリ(Built-In Memory)３１、二次メモリとしてのカード型メモリ３が挿入されるメモリスロット部３２を含む。内蔵メモリ３１は、例えば不揮発性メモリあるいはＲＡＭであり、カード型メモリ３は、例えば不揮発性メモリをカード本体に内蔵する構成を有する。
映像および音声の入出力部は、撮影画像モニタとしての例えばＬＣＤの表示パネル(LCD Display)３８、マイクロフォン（ＭＩＣ.）３４、および、スピーカ(Speaker)３５を含む。マイクロフォン３４は、撮像素子２２による撮影に同期して収音し、アナログの音声信号を出力する。
【００２３】
信号処理部２Ｂは、Ａ／Ｄコンバータ（Audio A/D Converter）２３、Ａ／Ｖエンコーダ(A/V Encoder)２４、Ａ／Ｖデコーダ(A/V Decoder)２５、Ｄ／Ａコンバータ（Audio D/A Converter）２６、および、ＬＣＤ制御回路(LCD Controller)２７を含む。
【００２４】
Ａ／Ｄコンバータ２３は、マイクロフォン３４から出力されるアナログの音声信号をディジタルの音声データに変換する。
Ａ／Ｖエンコーダ２４は、撮像素子２２からのディジタルの画像データと、Ａ／Ｄコンバータ２３からのディジタルの音声データとを入力し、メモリ記憶またはライン出力のために、それぞれ圧縮して互いに重畳する。
Ａ／Ｖデコーダ２５は、音声データと画像データが圧縮されて互いに重畳されたディジタルデータをモニタ表示パネル３８およびスピーカ３５により再生するために、当該ディジタルデータを解凍し、元の音声データおよび画像データを復元する。なお、Ａ／Ｖデコーダ２５に入力されるディジタルデータは、当該カメラ装置２で取得されて、例えば内蔵メモリ３１またはカード型メモリ３に記憶される画像データおよび音声データと、ライン入力により当該カメラ装置２に送られてくる画像データおよび音声データの何れでもよい。
Ｄ／Ａコンバータ２６は、Ａ／Ｖデコーダ２５で復元されたディジタルの音声データをアナログに変換し、スピーカ３５から再生するための回路である。
ＬＣＤ制御回路２７は、Ａ／Ｖデコーダ２５で復元されたディジタルの画像データに基づいてモニタ表示パネル３８を制御し、モニタ表示パネル３８に画像を表示する。なお、モニタ表示パネル３８には、カメラ制御部２Ｃから送られる様々な表示データを画像に重ねて表示することができ、そのデータ重畳は、ＬＣＤ制御回路２７が行う。
【００２５】
カメラ制御部２Ｃは、例えばＣＰＵやＤＳＰ等からなるメインプロセッサ(Main Processor)２８、一次メモリ制御回路(1st Memory Controller)２９、二次メモリ制御回路(2nd Memory Controller)３０、および、ＵＳＢ制御回路(USB Controller)３３を含む。
【００２６】
一次メモリ制御回路２９は内蔵メモリ３１に接続され、内蔵メモリ３１へのデータの書き込みおよび読み出しを制御する。
二次メモリ制御回路３０はメモリスロット部３２を介してカード型メモリ３に接続され、カード型メモリ３へのデータの書き込みおよび読み出しを制御する。
ＵＳＢ制御回路３３は、その出力に不図示のインターフェイスを介してＵＳＢケーブルが接続され、当該カメラ装置２とＵＳＢケーブル間で信号フォーマットの変換とデータ入出力を制御する。
メインプロセッサ２８は、図示した他の構成、さらにはカメラ装置２全体の動作を制御する。この制御は予め内蔵されたプログラムをメインプロセッサ２８が実行することによって行われる。当該プログラムはメインプロセッサ２８内の記憶領域、または、内蔵メモリ３１に格納され、メインプロセッサ２８はプログラムを読み出して実行する。
【００２７】
図３に図解するデータストレージ装置４は、リモートコントローラ４１を付属品として標準装備している。
リモートコントローラ４１は、上下左右のカーソル移動を指示するための方向キー４１Ａと、倍率変更に利用可能なアップ／ダウンキー４１Ｂとを備え、これらを含むキー操作の情報を赤外線信号ＩＲに変換して送信することができる。
データストレージ装置４内に、赤外線信号ＩＲを受光窓４２Ａから受光するＩＲ受光部(IR DET.)４２が設けられている。
【００２８】
データストレージ装置４は、図３に示すように２つのデータ記憶手段、すなわち内蔵メモリ(Memory)４３とハードディスク装置４６を内蔵する。さらにデータストレージ装置４は、着脱可能なデータ記憶媒体としてカード型メモリ３を挿入可能なメモリスロット部４４と、ＤＶＤやブルーレイ(Bru-Ray)等のディスク(DISC)７を装着可能なディスクスロット部４５とを有する。
【００２９】
データストレージ装置４は信号処理回路として、トランスコーダ(Trans-coder)４７、Ａ／Ｖデコーダ(A/V Decoder)４８、および、ＨＤＭＩ送信回路(HDMI Transceiver)４９を有する。
トランスコーダ４７は、映像データおよび音声データをそれぞれ圧縮して重畳することによりディジタルデータに変換し、変換後のディジタルデータを、例えばデータ記憶手段に応じて異なったフォーマットにコード変換し、あるいは、異なったビットレートに変換する処理を行う。
Ａ／Ｖデコーダ４８は所定の圧縮データ、例えばＭＰＥＧ２のディジタルデータを、表示装置６に適合したベースバンド信号に変換する。
ＨＤＭＩ送信回路４９は、Ａ／Ｖデコーダ４８からのベースバンド信号を、ＨＤＭＩ規格に適合した信号に変換し、電力増幅等を行って、不図示のインターフェイスに接続されているＨＤＭＩケーブルに送出する。なお、ＨＤＭＩケーブルに送出される信号は、カード型メモリ３、ＵＳＢケーブル、内蔵メモリ４３、ハードディスク装置４６あるいはディスク７からの信号であってもよい。
【００３０】
データストレージ装置４内に、以上の構成等を制御するデータストレージ制御部が設けられている（図３に示す破線で囲まれた部分）。
データストレージ制御部は、例えばＣＰＵやＤＳＰ等からなり、図１に示す表示倍率制御部５としてのメインプロセッサ(Main Processor)５０、一次メモリ制御回路(1st Memory Controller)５１、二次メモリ制御回路(2nd Memory Controller)５２、ディスク制御回路(DISC Controller)５３、ハードディスク制御回路(Hard Disc Controller)５４、ＵＳＢ制御回路(USB Controller)５５、バス調停回路(Arbiter)５６、および、暗号化回路(Encrypt-Engine)５７を含む。
データストレージ装置４内の全ての構成は、内部バス４Ａに接続されて、互いに信号のやり取りが可能になっている。
【００３１】
一次メモリ制御回路５１は内蔵メモリ４３に接続され、内蔵メモリ４３へのデータの書き込みおよび読み出しを制御する。
二次メモリ制御回路５２はメモリスロット部４４を介してカード型メモリ３に接続され、カード型メモリ３へのデータの書き込みおよび読み出しを制御する。
ディスク制御回路５３はディスクスロット部４５に接続され、ディスクスロット部４５に装着されるディスク７へのデータの書き込みおよび読み出しを制御する。
ハードディスク制御回路５４はハードディスク装置４６に接続され、ハードディスク装置４６へのデータの書き込みおよび読み出しを制御する。
ＵＳＢ制御回路５５は、その入力に不図示のインターフェイスを介してＵＳＢケーブルが接続され、当該データストレージ装置４とＵＳＢケーブル間で信号フォーマットの変換とデータ入出力を制御する。
バス調停回路５６は内部バス４Ａを伝送されるデータや制御信号の調停を行う。
暗号化回路５７は、データを例えばハードディスク装置４６に保存する際に、暗号化する。
メインプロセッサ５０は、図示した他の構成、さらにはデータストレージ装置４全体の動作を制御する。この制御は予め内蔵されたプログラムをメインプロセッサ５０が実行することによって行われる。当該プログラムはメインプロセッサ５０内の記憶領域、または、内蔵メモリ４３に格納され、メインプロセッサ５０はプログラムを読み出して実行する。
【００３２】
図４（Ａ）にデータストレージ装置４の本体前面の、図４（Ｂ）に本体背面のスロット等の配置例を示す。
図解する配置例では、データストレージ装置４の前面に、２つのメモリスロット部４４と、１つのディスクスロット部４５と、２つのＵＳＢ端子４Ｂが設けられている。また、データストレージ装置４の背面に、ハードディスク装置４６のディスクユニットの挿入口４６Ａが２つ設けられ、また、ＨＤＭＩ端子４ＣとＡＣ電源のコード４Ｄが設けられている。
このため本実施形態のデータストレージ装置４は、メモリスティック（商標名）やＳＤメモリカード（商標名）などの異なる２種類のカード型メモリ３を挿入できる。また、ＤＶＤディスクやブルーレイ・ディスク（商標名）といった異なる種類のディスク７を挿入できる。さらに、ＵＳＢ端子４Ｂを介して、ディジタルカメラや携帯電話機などの画像データを入力することができる。
さらにデータストレージ装置４は、ディスクユニットの挿入口４６Ａを２つ有することから、メインで使用されるハードディスク装置４６の他に、データバックアップ用にもう一つ同じ記録内容のハードディスク装置４６を装着することができる。また、これら２つのハードディスクでＲＡＩＤ(Redundant Array of Independent Discs)を構成して、常に同期して記録内容が書き換わるバックアップ体制を構築し、これによりデータ記憶の安全性を高めることができる。
【００３３】
図５に図解する表示装置６は、画面領域６１を有する表示パネル６２、スピーカ６４および内蔵メモリ６３、ならびに、信号処理部６Ａ、ディスプレイ制御部６Ｂを有する。これら各部の全ての構成は、内部バス６Ｃに接続されて、互いに信号のやり取りが可能になっている。
【００３４】
信号処理部６Ａは、ＨＤＭＩ受信回路(HDMI Receiver)６５、グラフィック制御回路(Graphics Controller)６６、Ａ／Ｖ制御回路(A/V Controller)６７、パネル駆動回路(Panel Driver)６８、および、オーディオアンプ(Audio Amp.)６９を含む。
【００３５】
ＨＤＭＩ受信回路６５は、不図示のインターフェイスに接続されるＨＤＭＩケーブルから、ＨＤＭＩ規格のベースバンド信号を受信し、フォーマット変換してＡ／Ｖ制御回路６７に出力する。
グラフィック制御回路６６は、ＨＤＭＩ受信回路６５の受信信号または内蔵メモリ６３内に予め格納されているＯＳＤ等のデータからグラフィック画像を発生し、Ａ／Ｖ制御回路６７に出力する。
Ａ／Ｖ制御回路６７は、ＨＤＭＩ受信回路６５からのベースバンド信号の画像データに、グラフィック制御回路６６からのグラフィック画像を合成する。なお、ＨＤＭＩ受信回路６５が受信する信号内に動画等のグラフィック画像が含まれる場合は、グラフィック制御回路６６でグラフィック画像が抽出された後、Ａ／Ｖ制御回路６７で背景の画像データに合成される。Ａ／Ｖ制御回路６７は映像と音声の分離と、画質調整、ホワイトバランス調整等のその他の映像処理も実行する。
パネル駆動回路６８は、Ａ／Ｖ制御回路６７からの画像データを入力し、当該画像データに応じて表示パネル６２を駆動し、画像表示を行う。
オーディオアンプ６９は、Ａ／Ｖ制御回路６７からの音声データを内蔵のＤ／Ａコンバータでアナログ変換後に増幅する。増幅後の音声データは、スピーカ６４から音声出力される。
【００３６】
なお、当該表示装置６は、ディジタルズーム処理が可能で、その処理は、Ａ／Ｖ制御回路６７とパネル駆動回路６８で実行される。よって、このＡ／Ｖ制御回路６７とパネル駆動回路６８が、本発明における「映像処理部」の一実施例に該当する。
【００３７】
以上のように構成された本実施形態の画像表示システム１は、カメラ装置２のユーザが所望のズーム倍率で撮影した画像（以下、代表画像という）のほかに、異なるズーム倍率の少なくとも１枚の画像（以下、変倍画像）を連続撮影する。
そして、データストレージ装置４のユーザが、リモートコントローラ４１を用いてズームアップの指示を行ったときに、代表画面から参照画面への置き換えにより、表示装置６の画面領域６１における映像内容の表示倍率変更をデータストレージ装置４側からの制御で実行する。
【００３８】
以下、この画像置き換えによる表示倍率変更の処理を、図６〜図８のフローチャートを用いて説明する。
図６は、本実施形態の処理の大まかな流れを示すフローチャートである。
本処理では、画像データ取得のステップＳＴ１、ＵＳＢケーブルを介したデータ転送（またはカード型メモリ（二次メモリ）３によるデータ移動）のステップＳＴ２、および、本発明の表示倍率変更方法の実施形態を含む表示制御処理のステップＳＴ３を有する。
図７は、ステップＳＴ１の画像データ取得の詳細を示すフローチャート、図８は、ステップＳＴ３の詳細を示すフローチャートである。
【００３９】
図７に示すデータ取得は、図２に示すメインプロセッサ２８が所定のプログラムを実行することにより制御する。
不図示の電源オン後に操作待ち状態となる。ステップＳＴ１０にて、ユーザがズーム操作部３６を、被写体がモニタ表示パネル３８内に所望の構図で収まるように操作する。これによりズームレンズ２１が動作する。
次いでユーザがシャッタ操作部３７を操作して、その半操作状態にすると（ステップＳＴ１１）、ズームレンズ２１の自動ピント合わせ機構が動作する。この構図が決まり、自動ピント合わせが終了時の倍率が、「所望のズーム倍率」となる。
図９に、モニタ表示パネル３８に表示されている代表画面Ｐ(0)の例を示す。
【００４０】
一般的なカメラ装置ではこの状態でシャッタは作動しない（撮像は行われない）が、本実施形態のカメラ装置２では、所望のズーム倍率で撮像素子２２が撮像し代表画像を取得する（ステップＳＴ１２）。
次いで取得枚数が所定の枚数であるかが判断される（ステップＳＴ１３）。所定の枚数は、例えば２枚以上の数枚〜十数枚に予め設定されている。最初は、この判断が「Ｎｏ」となり、次のステップＳＴ１４でズームレンズ２１のズーム倍率が変更される。このときの変更幅と変更のルールは予め決められている。例えば、所定のズーム変更最小幅だけ、最初は拡大方向（Ｗ方向）にズーム倍率が変更される。
その後、処理がステップＳＴ１２に戻り、再度撮像を行い、ステップＳＴ１３の判断を行う。
【００４１】
このようにステップＳＴ１２〜ＳＴ１４が、ステップＳＴ１３で必要枚数が撮像されたと判断されるまで繰り返される。
その際、必要枚数をＮ枚とすると、例えばＷ方向での変倍画像の撮像をｉ回、Ｔ方向での変倍画像の撮像をｊ（＝Ｎ−ｉ−１）回と予め決めることができる。あるいは、Ｗ方向を優先し、所定のズーム変更最小幅で可能な限りＷ側での変倍画像の取得を行い、必要枚数に対しＴ側での撮像が可能であれば、その枚数だけＴ側での変倍画像を取得するようにしてもよい。ただし、以上の画像の取得方法は一例であり、その他の方法も採用可能である。
図１０に、代表画面Ｐ(0)と変倍画像との関係を示す。以下、変倍画像をＰ(+i,-j)で表記する。
【００４２】
ステップＳＴ１５は、ステップＳＴ１２で撮像が行われるたびに順次実行される。ステップＳＴ１５では撮像素子２２からの撮像信号をエンコードして圧縮データに変換する。また、全ての画像データが揃うと、その画像データを含めたファイルデータＦへの変換を行う。なお、ファイルデータＦには図１０に示すＮ枚の画像データとその他の添付情報を含む。ファイルデータＦのデータ構造の詳細な例は、後述の第２実施形態にて説明する。
ステップＳＴ１６にて、一次メモリ制御回路２９の制御により内蔵メモリ３１内にファイルデータＦを書き込む一次記憶を行う。
【００４３】
ステップＳＴ１７にて、シャッタのフル操作の有無が監視されている。このステップは、シャッタの半操作があってから所定の時間経過までは続けられる。
フル操作（例えばシャッタボタンの完全な押し下げ）が検出されると、ステップＳＴ１８にて、ファイルデータＦを内蔵メモリ（一次メモリ）３１から読み出して二次メモリであるカード型メモリ３に二次メモリ制御回路３０を介して書き込む。一方、フル操作が所定の時間が経過しても検出されず、シャッタが戻されたことを検出した場合は、内蔵メモリ３１に保存したファイルデータＦを廃棄（消去）する。
【００４４】
つぎに、図６のステップＳＴ３に示す表示制御処理を、図８のフローチャートに沿って説明する。
図８に示す表示制御処理は、図３に示すメインプロセッサ５０が所定のプログラムを実行することにより制御する。このときデータストレージ装置４にはＨＤＭＩケーブルを介して表示装置６が接続されている。
当該表示制御処理は、表示装置６の画面領域６１（例えば表示パネル６２の有効画面領域あるいはＯＳＤ画像）に表示する映像内容の、当該画面領域６１内における表示倍率の制御を行うものである。したがって、データストレージ装置４側で表示倍率の遠隔制御を行えば、そのことが、図５に示すＡ／Ｖ制御回路６７およびパネル駆動回路６８によって即、画面領域６１の表示倍率に反映されるように、表示装置６が構成されている。例えば、Ａ／Ｖ制御回路６７は、画面領域６１の表示内容を常時保持する不図示のビデオメモリを制御し、そのビデオメモリの内容を書き換えれば、即、新たな記憶内容で画面領域６１の表示内容が変更されるように構成されている。
【００４５】
図８に示すステップＳＴ８の処理（表示制御処理）が、データストレージ装置４にて開始される。
最初にステップＳＴ２０にて、画像データが入力される。画像データ入力は、ＵＳＢケーブル又はカード型メモリ３を介してカメラ装置２からファイルデータＦとして入力されるものと、カメラ装置２からのファイルデータＦでない、内蔵のハードディスク装置４６やディスク７を再生し、あるいは、ＵＳＢケーブルを介して外部の他の機器（例えば携帯電話等）から入力されるものがある。
この入力画像データがカメラ装置２からのファイルデータＦであるかを、次のステップＳＴ２１にて検出する。ファイルデータＦであるか否かは、後述する第２実施形態で示すようにファイルデータＦ内の識別子（例えばフラグ）を参照することにより判別可能である。
【００４６】
ファイルデータＦでない場合、処理フローがステップＳＴ２２Ａに進み、そこで画像表示の指示制御が行われる。最初に画像表示が行われて、映像コンテンツの再生の途中で任意のステップとしてズーム表示操作が鑑賞者によって行われることがある（ステップＳＴ２３Ａ）。具体的には、鑑賞者がリモートコントローラ４１のメニューボタン（不図示）を操作してズームモードに切り替え、アップ／ダウンキー４１Ｂをアップ側に段階的に押して画像内容の画面領域６１での拡大を要求する。
ステップＳＴ２４Ａは、このズーム表示操作の有無を画像再生の最初から常時監視している。
【００４７】
ズーム表示操作があると、次のステップＳＴ２５Ａで、ディジタルズームの処理をデータストレージ装置４が表示装置６に指示し、表示装置６は、Ａ／Ｖ制御回路６７およびパネル駆動回路６８の制御によってディジタルズーム処理を実行する。この処理は、映像内容を単純にズームアップするため解像度の低下が生じる。
ディジタルズーム処理の実行指示後、あるいは、ステップＳＴ２４Ａでズーム表示操作がないと判断した場合、画像再生の終了を判断する（ステップＳＴ２６Ａ）。この判断が「Ｎｏ」の場合は、ズーム表示操作の待機状態となる。ステップＳＴ２６Ａで終了と判断されると、当該表示制御処理が終了する。
【００４８】
一方、ステップＳＴ２１でファイルデータＦが検出されると、処理フローがステップＳＴ２２Ｂに進む。
ステップＳＴ２２Ｂでは、ファイルデータＦから代表画面Ｐ(0)を抽出し、その画像データを送って表示装置６の画面領域６１に表示させる制御を行う。最初に画像表示が行われて途中で任意のステップとしてズーム表示操作が鑑賞者によって行われることがある（ステップＳＴ２３Ｂ）。具体的には、鑑賞者がリモートコントローラ４１のメニューボタン（不図示）を操作してズームモードに切り替え、アップ／ダウンキー４１Ｂをアップ側またはダウン側に段階的に押して画像内容の画面領域６１での拡大または縮小を要求する。
ステップＳＴ２４Ｂは、このズーム表示操作の有無を、代表画面Ｐ(0)を最初に表示してから常時監視している。
【００４９】
ズーム表示操作があると、次のステップＳＴ２５Ｂで、画像置き換えによる表示倍率変更をデータストレージ装置４が表示装置６に指示し、表示装置６は、Ａ／Ｖ制御回路６７およびパネル駆動回路６８の制御によって画像置き換えを実行する。具体的には、ズームアップが指示されたときは、図１０に示す、Ｗ側の変倍画像Ｐ(+1),…Ｐ(+i)から、操作量に応じた一の変倍画像を選択し、これに代表画面Ｐ(0)を置き換える。一方、ズームダウンが指示されたときは、Ｔ側の変倍画像Ｐ(-1),…Ｐ(-j)から、操作量に応じた一の変倍画像を選択し、これに代表画面Ｐ(0)を置き換える。これら処理は、同一撮像素子２２により撮影された画像間の置き換えであるため、ズームアップによる解像度低下は生じない。また、ズームダウンのときは、ユーザがカメラ装置２を用いて取得した所望の代表画面Ｐ(0)より、さらに周囲の状況まで写った画像の表示が可能となる。
表示倍率変更の実行指示後、あるいは、ステップＳＴ２４Ｂでズーム表示操作がないと判断した場合、画像再生の終了を判断する（ステップＳＴ２６Ｂ）。この判断が「Ｎｏ」の場合は、ズーム表示操作の待機状態となる。ステップＳＴ２６Ｂで終了と判断されると、当該表示制御処理が終了する。
【００５０】
本実施形態の画像表示システム１によれば、解像度低下がないズームアップ、あるいは、所望の画像よりさらに周囲の状況まで確認できるため、ユーザの多様な要求に高品質で応えることが可能となる。
【００５１】
《第２実施形態》
図１１に、本実施形態に関わるカメラ装置２の正面図（レンズ側面）を示す。
図解するカメラ装置２は、ズームレンズが複数、本例では５個設けられている。これは、後述するように撮影中心位置が異なる画像を取得するためである。中心のズームレンズ２１＿０は第１実施形態でも設けられているが、これに、４つのズームレンズ２１＿１〜２１＿４が追加されている。
【００５２】
図２に示すブロック図は本実施形態でも適用できるが、異なる点としては、５つのズームレンズ２１＿０〜２１＿４に対応して光学撮影部２Ａが５つ設けられている。
図２の他の構成、図１における装置間の接続関係、図３〜図１０も本実施形態に適用される。
ただし図６に示すステップＳＴ１では、５つの光学撮影部２Ａは、同じ被写体を、撮影中心を異にして同時に撮影する。その際、５つの光学撮影部２Ａは、それぞれ図１２に示すＮ枚の画像を連続撮影し、それぞれＮ枚の画像データ、合計５Ｎ枚の画像データから１つのファイルデータＦが作成される（図７のステップＳＴ１５）。このとき撮影者の意識は、中心のズームレンズ２１＿０で１枚の画像を撮影したと認識されるが、カメラ装置２内部では自動連続撮影により多くの画像データが取得される。二次記憶するか廃棄するかの判断、制御は第１実施形態の図７に示す方法と同じである。
【００５３】
図１２に、ファイルデータＦのデータ構造を模式的に示す。なお、図では３段に分けてデータ配列を示すが、１列に並ぶ１つのデータ配列からファイルデータＦが構成される。以下、データ配列の先頭から順に説明する。
ファイルデータＦの先頭に「光学ズーム判別フラグ（ｆｇ）」を含む。これは画像置き換えによる光学ズーム対応データであることを示す識別子である。
次の「グループ名」は任意にユーザ設定可能であり、ファイリングされた画像群の名称を表す。
次の「ポジション数」は、５つのレンズで撮影した場合は「５」となり自動付与される。
次の「位置情報Ｘ０」から三段目の「写真３４」までは画像データとその付帯情報の繰り返しである。最初の位置情報Ｘ０、Ｙ０、変倍数Ｖ０、写真０が、例えばズームレンズ２１＿０で取得された代表画面Ｐ(0)に関するデータである。位置情報Ｘ０とＹ０により撮像中心の画面全体における座標を表し、変倍数Ｖ０が光学ズーム倍率に応じた変数を表し、それに続く画像データ（写真０）が、当該座標（Ｘ０,Ｙ０）を中心として変倍数Ｖ０のズームで撮影された画像データである。この位置座標、変倍数情報および画像データを１単位としてデータ配列が繰り返されている。ここではＮ＝７であり写真６の画像データまでがズームレンズ２１＿０により撮影された七枚分の画像データとその付帯情報である。続く位置座標Ｘ７から写真１３の画像データまでが、ズームレンズ２１＿１により撮影された七枚分の画像データとその付帯情報である。続く位置座標Ｘ１４から写真２０の画像データまでが、ズームレンズ２１＿２により撮影された七枚分の画像データとその付帯情報である。続く位置座標Ｘ２１から写真２７の画像データまでが、ズームレンズ２１＿３により撮影された七枚分の画像データとその付帯情報である。続く位置座標Ｘ２８から写真３４の画像データまでが、ズームレンズ２１＿４により撮影された七枚分の画像データとその付帯情報である。
そして、最後尾にファイルデータ配列の終了を示すエンドフラグ（ｆｅ）が設けられている。
【００５４】
図６に示すステップＳＴ２の後、次のステップＳＴ３でも、基本的に図８に示す処理を実行する。
図８に示すステップＳＴ２１では、図１２に示す先頭の光学ズーム判別フラグ（ｆｇ）をメインプロセッサ５０が検出することによりファイルデータＦありを認識する。
その後に、ファイルデータＦがある場合は、基本的に画像置き換えによる光学ズーム処理を行い、ファイルデータＦが検出されない場合はディジタルズーム処理を行うこと自体は本実施形態でも同じである。
【００５５】
ただし、本実施形態ではステップＳＴ２４Ｂの処理が、より細かな制御が可能である。
図８に示すステップＳＴ２４Ｂは代表画面から変倍画面への単純な置き換えであるが、本実施形態では、画像置き換えする場合と、図８に（＊）で示すように、画像置き換えを行わずにディジタルズームを行う場合のフローが存在する。
その前提として、ステップＳＴ２３Ｂでは、ユーザによるズーム処理の場所（ズーム中心位置）の任意設定が可能である。
【００５６】
以下、このユーザ操作によるズーム中心位置の任意設定と、その位置に応じた処理内容の制御手順とを、図１３〜図１６を用いて説明する。
【００５７】
図１３は、撮影者の所望の画像、つまり図１１の中央のズームレンズ２１＿０で撮影された代表画面Ｐ(0)が表示装置６の画面領域６１に表示されている様子を示す。図８のステップＳＴ２２Ｂでは、この撮影者の所望の画像表示を行う。
図１３に示す画像は、富士山と２機の航空機およびビル群が写し出されている。
また、この画像に重ねて撮影中心を示す５つのマーク（星マーク）Ｍ＿０〜Ｍ＿４が画面領域６１上に表示されている。ここで中央のマークＭ＿０は図１１に示すズームレンズ２１＿０の撮影中心を表しており、同様に、他のマークＭ＿１〜Ｍ＿４は、それぞれ、ズームレンズ２１＿１〜２１＿４の各撮影中心を表している。
なお、この５つのマークＭ＿０〜Ｍ＿４は、当該所望の画像を得る撮影時にも図２に示すモニタ表示パネル３８上に、所望の画像と重ねて表示される。よって撮影者は、後で高品質でズーム拡大したい被写体にマークが重なるように構図を決めることができる。この場合、撮影者が選んだ被写体は中央の富士山、その上空を飛ぶ飛行機およびビル群である。
【００５８】
このような所望の画面（ファイルデータＦ全体の代表画面）が表示装置６に表示されると、図８のステップＳＴ２３Ｂにて、鑑賞者がリモートコントローラ４１を操作し、ズームモードに設定した後、方向キー４１Ａを操作してカーソルを画面領域６１上で任意に動かし、決定キーを押すことでズーム中心位置を選択できる。
図８に示す次のステップＳＴ２４ＢとＳＴ２５Ｂが、本実施形態では異なる。
【００５９】
図１４に、図８に示す次のステップＳＴ２４ＢとＳＴ２５Ｂに代えて、本実施形態で実行される処理内容を示す。
最初のステップＳＴ３０にて、鑑賞者のカーソル決定で選択された位置が、図１３に示すマークＭ＿０〜Ｍ＿４に重なるか、または、各マーク端から水平、垂直それぞれ数〜数十画素の所定の範囲に入っているかを判定する。
【００６０】
入っていない場合は、次のステップＳＴ３１に処理フローが進む。
図１５（Ａ）は、この場合の例として、マークから離れた位置にある航空機が選択された場合を示す。
このような場合、図１４の次のステップＳＴ３１で、選択された位置を中心に画像データの切り取りが実行指示され、次のステップＳＴ３２で中央表示させる。そして、処理フローが、図８のステップＳＴ２４Ａの前に割り込み処理される。
その後、ズーム表示操作があると（ステップＳＴ２４Ａ）、ディジタルズーム処理により（ステップＳＴ２５Ａ）画面が画面領域６１全体に拡大表示される。このときディジタズームであることから解像度が低下する。その後、ステップＳＴ２６Ａを経て当該処理が終了する。
【００６１】
一方、図１４のステップＳＴ３０で選択位置がマーク（星印）と重なるか、マーク付近であると判断されると、処理フローがステップＳＴ３４に進む。
ステップＳＴ３４では、マーク（星印）に対応する連続撮像された画像データ群（本例では７枚）がファイルデータＦから抽出され（ステップＳＴ３４）、最初の、その中の代表画面Ｐ(0)が画面領域６１に中央表示される（ステップＳＴ３５）。この状態でステップＳＴ３６による拡大または縮小のズーム操作が検出されると、第１実施形態と同様に、拡大（ズームアップ）または縮小（ズームダウン）の倍率に適合して一の変倍画像が選択され、これに代表画面Ｐ(0)を置き換えて、画像置き換えによる光学ズーム処理を実行する（図１６（Ａ）および（Ｂ）参照）。
その後、図８の判断（ステップＳＴ２６Ｂ）で終了と判断されると、当該処理が終了する。
【００６２】
本実施形態によれば、第１実施形態と同様に、解像度低下がないズームアップ、あるいは、所望の画像よりさらに周囲の状況まで確認できるため、ユーザの多様な要求に高品質で応えることが可能となる。
さらに、ユーザが任意の位置を中心としたズームが可能である場合でも、複数の画像置き換えのためのデータ群を予め取得することで、高画質なズームが可能である。
【００６３】
ときにマークを撮像時のモニタ画面に表示させることで、高画質なズーム箇所を撮影時に意識して撮影が可能である。ズーム箇所は画面の中で数点であることが多いため、このような高画質でズーム可能な位置が限られている場合でも十分実用的である。また、各ズーム箇所で、所望の画像には写っていない周囲の状況をバックグラウンドで連続撮影しているため、１画面の中で様々な箇所での撮影時の周辺の状況を、後で探ることができるという今までにない新しい楽しみ方を鑑賞者に提供する画像表示システムが実現可能となる。
また、特に監視カメラと、その表示システムに第２実施形態のマルチレンズによる撮影方法を応用すると、高所から一望する監視であっても、観たい箇所のみ後から高品質で拡大したり、周囲の状況まで知りたいときに表示させたりできる便利な監視システムの構築が可能である。
【図面の簡単な説明】
【００６４】
【図１】第１実施形態に関わる画像表示システムの構成を示す図である。
【図２】カメラ装置のブロック図である。
【図３】データストレージ装置のブロック図である。
【図４】（Ａ）はデータストレージ装置４の前面図、（Ｂ）は背面図である。
【図５】表示装置のブロック図である。
【図６】全体のフローチャートである。
【図７】画像データ取得の詳細なフローチャートである。
【図８】第１実施形態に関する表示制御処理の詳細なフローチャートである。
【図９】モニタ表示されている代表画面例を示すカメラ装置の背面図である。
【図１０】連続撮影される複数画像の説明図である。
【図１１】第２実施形態に関わるカメラ装置の正面図である。
【図１２】ファイルデータのデータ構造を示す説明図である。
【図１３】最初に表示装置に表示される代表画像の例を示す図である。
【図１４】第２実施形態の処理の特徴的な手順を示すフローチャートである。
【図１５】（Ａ）および（Ｂ）は、第２実施形態においてディジタルズーム処理を行う場合の説明図である。
【図１６】（Ａ）および（Ｂ）は、第２実施形態において光学ズーム処理を行う場合の説明図である。
【符号の説明】
【００６５】
１…画像表示システム、２…カメラ装置、２Ｃ…カメラ制御部、３…カード型メモリ、４…データストレージ装置、５…表示倍率制御部、６…表示装置、２１…ズームレンズ、２２…撮像素子、３１…内蔵メモリ、３２…メモリスロット部、３６…ズーム操作部、３７…シャッタ操作部、３８…モニタ表示パネル、４１…リモートコントローラ、５０…メインプロセッサ、６１…画面領域、Ｍ…マーク、Ｐ(0)…代表画面、変倍画像…Ｐ(+i,-j) 
【図１】
2008153876.tif 000003
【図２】
2008153876.tif 000004
【図３】
2008153876.tif 000005
【図４】
2008153876.tif 000006
【図５】
2008153876.tif 000007
【図６】
2008153876.tif 000008
【図７】
2008153876.tif 000009
【図８】
2008153876.tif 000010
【図９】
2008153876.tif 000011
【図１０】
2008153876.tif 000012
【図１１】
2008153876.tif 000013
【図１２】
2008153876.tif 000014
【図１３】
2008153876.tif 000015
【図１４】
2008153876.tif 000016
【図１５】
2008153876.tif 000017
【図１６】
2008153876.tif 000018